【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  コア部と、このコア部を取り囲むクラッド部とを有し、前記コア部および前記クラッド部の少なくとも一方に、軸心方向に延びる中空部を設けた光ファイバの端面部構造であって、
前記光ファイバの端面部には、前記中空部を塞ぐ封止部が設けられ、
前記封止部は、前記光ファイバの端面部を加熱して前記クラッド部を軟化させることで形成され、
前記光ファイバにおいて前記コア部及び前記クラッド部が存在する部分の端面の外径が、前記光ファイバの他の部分の外径と実質的に同一であることを特徴とする光ファイバの端面部構造。
【請求項２】  コア部と、このコア部を取り囲むクラッド部とを有し、前記コア部に、軸心方向に延びる中空部を設けた光ファイバの端面部構造であって、
前記光ファイバの端面部には、前記中空部を塞ぐ封止部が設けられ、
前記封止部は、前記中空部内に硬化性物質を入れ、その後前記硬化性物質を硬化させることで形成されていることを特徴とする光ファイバの端面部構造。
【請求項３】  コア部と、このコア部を取り囲むクラッド部とを有し、前記クラッド部に、軸心方向に延びる中空部を設けた光ファイバの端面部構造であって、
前記光ファイバの端面部には、前記中空部を塞ぐ封止部が設けられ、
前記封止部は、前記光ファイバの端面に取り付けられ前記中空部を覆う蓋部によって構成されていることを特徴とする光ファイバの端面部構造。
【請求項４】  前記蓋部は、樹脂または金属膜で形成されていることを特徴とする請求項３記載の光ファイバの端面部構造。
【請求項５】  前記光ファイバの端面部には、コネクタ加工が施されていることを特徴とする請求項１〜４の何れか一項に記載の光ファイバの端面部構造。
【請求項６】  前記封止部は、前記光ファイバの両端面部に設けられていることを特徴とする請求項１〜４の何れか一項に記載の光ファイバの端面部構造。
【請求項７】 コア部と、このコア部を取り囲むクラッド部とを有し、前記コア部および前記クラッド部の少なくとも一方に、軸心方向に延びる中空部を設けた光ファイバであって、
前記光ファイバの端面部には、前記中空部を塞ぐ封止部が設けられ、
前記封止部は、前記光ファイバの端面部を加熱して前記クラッド部を軟化させることで形成され、
前記光ファイバにおいて前記コア部及び前記クラッド部が存在する部分の端面の外径が、前記光ファイバの他の部分の外径と実質的に同一であることを特徴とする光ファイバ。
【請求項８】  コア部と、このコア部を取り囲むクラッド部とを有し、前記コア部に、軸心方向に延びる中空部を設けた光ファイバであって、
前記光ファイバの端面部には、前記中空部を塞ぐ封止部が設けられ、
前記封止部は、前記中空部内に硬化性物質を入れ、その後前記硬化性物質を硬化させることで形成されていることを特徴とする光ファイバ。
【請求項９】  コア部と、このコア部を取り囲むクラッド部とを有し、前記クラッド部に、軸心方向に延びる中空部を設けた光ファイバであって、
前記光ファイバの端面部には、前記中空部を塞ぐ封止部が設けられ、
前記封止部は、前記光ファイバの端面に取り付けられ前記中空部を覆う蓋部によって構成されていることを特徴とする光ファイバ。
【手続補正２】
【補正対象書類名】明細書
【補正対象項目名】０００５
【補正方法】変更
【補正の内容】
【０００５】
【課題を解決するための手段】
本発明は、コア部と、このコア部を取り囲むクラッド部とを有し、コア部およびクラッド部の少なくとも一方に、軸心方向に延びる中空部を設けた光ファイバの端面部構造であって、光ファイバの端面部には、中空部を塞ぐ封止部が設けられ、封止部は、光ファイバの端面部を加熱してクラッド部を軟化させることで形成され、光ファイバにおいてコア部及びクラッド部が存在する部分の端面の外径が、光ファイバの他の部分の外径と実質的に同一であることを特徴とするものである。
【手続補正３】
【補正対象書類名】明細書
【補正対象項目名】０００６
【補正方法】変更
【補正の内容】
【０００６】
本発明者らは、中空部を有する光ファイバにおいて、例えば異物や水蒸気が中空部に入ると、光ファイバの光損失が増大することを、実験等によって明らかにした。本発明は、そのような知見に基づいてなされたものである。即ち、上述のように光ファイバの端面部に中空部を塞ぐ封止部を設けることにより、中空部に異物等が侵入することが低減される。このため、光損失の増大等といった光特性の劣化を低減することができる。また、光ファイバの中空部が開口した状態で、光ファイバの端面研磨等を行うと、中空部で光ファイバが破損する可能性があるが、光ファイバの端面部において中空部を塞ぐことで、そのような端面加工時における光ファイバの破損を防止することができる。また、封止部は、光ファイバの端面部を加熱してクラッド部を軟化させることで形成されている。これにより、封止部がクラッド部と同じ材質のガラスで形成されることになるため、封止部が強固なものとなる。また、光ファイバの端面部において材質が均一となるため、光ファイバの端面研磨等の加工が容易に行える。
【手続補正４】
【補正対象書類名】明細書
【補正対象項目名】０００７
【補正方法】変更
【補正の内容】
【０００７】
また、本発明は、コア部と、このコア部を取り囲むクラッド部とを有し、コア部に、軸心方向に延びる中空部を設けた光ファイバの端面部構造であって、光ファイバの端面部には、中空部を塞ぐ封止部が設けられ、封止部は、中空部内に硬化性物質を入れ、その後当該硬化性物質を硬化させることで形成されていることを特徴とするものである。
【手続補正５】
【補正対象書類名】明細書
【補正対象項目名】０００８
【補正方法】変更
【補正の内容】
【０００８】
このように光ファイバの端面部に中空部を塞ぐ封止部を設けることにより、中空部に異物等が侵入することが低減される。このため、光損失の増大等といった光特性の劣化を低減することができる。また、光ファイバの中空部が開口した状態で、光ファイバの端面研磨等を行うと、中空部で光ファイバが破損する可能性があるが、光ファイバの端面部において中空部を塞ぐことで、そのような端面加工時における光ファイバの破損を防止することができる。また、封止部は、中空部内に硬化性物質を入れ、その後硬化性物質を硬化させることで形成されている。これにより、封止部の形成が比較的容易に行える。
【手続補正６】
【補正対象書類名】明細書
【補正対象項目名】０００９
【補正方法】変更
【補正の内容】
【０００９】
また、本発明は、コア部と、このコア部を取り囲むクラッド部とを有し、クラッド部に、軸心方向に延びる中空部を設けた光ファイバの端面部構造であって、光ファイバの端面部には、中空部を塞ぐ封止部が設けられ、封止部は、光ファイバの端面に取り付けられ中空部を覆う蓋部によって構成されていることを特徴とするものである。
【手続補正７】
【補正対象書類名】明細書
【補正対象項目名】００１０
【補正方法】変更
【補正の内容】
【００１０】
このように光ファイバの端面部に中空部を覆う蓋部を封止部として設けることにより、中空部に異物等が侵入することが低減される。このため、光損失の増大等といった光特性の劣化を低減することができる。また、光ファイバの中空部が開口した状態で、光ファイバの端面研磨等を行うと、中空部で光ファイバが破損する可能性があるが、光ファイバの端面部において中空部を塞ぐことで、そのような端面加工時における光ファイバの破損を防止することができる。また、蓋部を機能性素子で構成することで、反射防止、波長選択、偏波選択などの機能を持たせることができる。
この場合、好ましくは、蓋部は、樹脂または金属膜で形成されている。これにより、蓋部の形成が比較的容易に行える。
【手続補正８】
【補正対象書類名】明細書
【補正対象項目名】００１３
【補正方法】変更
【補正の内容】
【００１３】
また、本発明の光ファイバは、コア部と、このコア部を取り囲むクラッド部とを有し、コア部およびクラッド部の少なくとも一方に、軸心方向に延びる中空部を設けた光ファイバであって、光ファイバの端面部には、中空部を塞ぐ封止部が設けられ、封止部は、光ファイバの端面部を加熱してクラッド部を軟化させることで形成され、光ファイバにおいてコア部及びクラッド部が存在する部分の端面の外径が、光ファイバの他の部分の外径と実質的に同一であることを特徴とするものである。
また、本発明の光ファイバは、コア部と、このコア部を取り囲むクラッド部とを有し、コア部に、軸心方向に延びる中空部を設けた光ファイバであって、光ファイバの端面部には、中空部を塞ぐ封止部が設けられ、封止部は、中空部内に硬化性物質を入れ、その後硬化性物質を硬化させることで形成されていることを特徴とするものである。
また、本発明の光ファイバは、コア部と、このコア部を取り囲むクラッド部とを有し、クラッド部に、軸心方向に延びる中空部を設けた光ファイバであって、光ファイバの端面部には、中空部を塞ぐ封止部が設けられ、封止部は、光ファイバの端面に取り付けられ中空部を覆う蓋部によって構成されていることを特徴とするものである。